(57)【要約】      （修正有）【課題】泡沫と凝血を発生しにくく、収納に便利で導管が折れにくい血液透析回路管チャンバ用チャンバ上蓋の提供。 【解決手段】上蓋体Ｅ、柱状接続管Ｆ、斜口式導引管、チャンバ本体Ｇから構成され、該上蓋体の下方に該チャンバ本体が連結され、該上蓋体上部に該柱状接続管が設置され、該柱状接続管内部に斜口式導引管が延伸して連結されると共に、チャンバ本体内部に吊設され、血液が外部導管から柱状接続管と斜口式導引管を経てチャンバ本体に流入する時、チャンバ本体内の血液が螺旋状に流動し、上蓋体から流入する血液が直接チャンバ本体内の血液にぶつかるのを緩和し、同時に、血液が該斜口式導引管から流出するとき、チャンバ本体の内壁をつたって流れ、血液がチャンバ本体内部で凝血及び泡沫を発生しないことを特徴とする。【選択図】図３
0003113888.tif 000002
【実用新案登録請求の範囲】
【請求項１】
下段開口に導管を接続する柱状接続管を配した底蓋を配して成り、上端開口に、導管を接続する柱状接続管を配して成る上蓋体を配した血液透析回路管チャンバ本体において、前記上蓋体に配された柱状接続管内部に、血液が外部導管から柱状接続管を経てチャンバ本体に流入する時、チャンバ本体内の血液が螺旋状に流動し、上蓋体から流入する血液が直接チャンバ本体内の血液にぶつかるのを緩和し、同時に、血液がチャンバ本体の内壁をつたって流れ、血液がチャンバ本体内部で凝血及び泡沫を発生しない構成とした斜口式導引管を前記チャンバ本体内に吊設した状態で配設したことを特徴とする血液透析回路管チャンバ用チャンバ。
【考案の詳細な説明】
【技術分野】
【０００１】
本考案は、血液透析回路管チャンバ本体用のチャンバに関し、詳細には、チャンバ上蓋の上部に柱状接続管を設置して血液導管を連結し、且つ、内側に斜口式導引管を延伸して設け、さらに上蓋体下方にチャンバ本体を連結し、血液が導管を通りチャンバ上蓋上部の柱状接続管を通過し、チャンバ上蓋内部の斜口式導引管及びチャンバ本体内部に到達した後、該血液がチャンバ本体内に流入するとき渦巻の流動を形成し、チャンバ本体内の血液上部の液面が長時間流動しないことにより凝血してしまう状況の発生を防ぐ、血液透析回路管チャンバ用チャンバに関する。
【０００２】
本考案のチャンバ内部の斜口式導引管は複数の孔を備え、チャンバ本体の内部に吊設され、血液が上蓋上方の柱状接続管を通り、チャンバ上蓋内部の斜口式導引管へと流れ、チャンバ本体の内部に到達した後、液面の撹拌・循環作用が得られる。
【０００３】
また、該斜口式導引管はチャンバ本体の内部に吊設され、血液が斜口式導引管を経てチャンバ本体の内壁に向かって流出されるとき、凝血及び泡沫を発生しない。
【背景技術】
【０００４】
一般的な従来のチャンバセットＡは、図１に示すように、チャンバセットＡ上部のチャンバ上蓋に柱状接続管Ｂが設置され、且つ、この柱状接続管Ｂが内側まで延伸されて導引管Ｃが連結され、さらにチャンバセットＡ下部にチャンバ本体Ｄが連結されて成る。血液が導管を経てチャンバ上蓋の柱状接続管Ｂに到達し、内部の導引管Ｃを通りチャンバ本体Ｄに到達した後、内部の導引管Ｃはまっすぐな柱状に内部に吊設されているため、血液が導引管Ｃから滴り落ちるとき、チャンバ本体Ｄ内の血液にぶつかり、チャンバ本体Ｄ内の血液の液面に泡沫を発生したり、凝血が発生したりする状況が起こりやすい。
【０００５】
さらに、従来の技術の改良は、図２に示すように、蓋体Ｅの側面に柱状接続管管体Ｆを設置し、血液が柱状接続管管体Ｆを経てチャンバ本体Ｇの内壁を滑落するしくみであるため、凝血と泡沫は発生しにくいが、蓋体Ｅ側面の柱状接続管管体Ｆが突出した形状であるため、収納に不便であり、管が折れてしまうことにもなりやすい。
【考案の開示】
【考案が解決しようとする課題】
【０００６】
このため、本考案の目的は、上述の欠点を排除し、泡沫と凝血を発生しにくく、収納に便利で導管が折れにくい血液透析回路管チャンバ用チャンバを提供することにある。
【課題を解決するための手段】
【０００７】
下段開口に導管を接続する柱状接続管を配した底蓋を配して成り、上端開口に、導管を接続する柱状接続管を配して成る上蓋体を配した血液透析回路管チャンバ本体において、前記上蓋体に配された柱状接続管内部に、血液が外部導管から柱状接続管を経てチャンバ本体に流入する時、チャンバ本体内の血液が螺旋状に流動し、上蓋体から流入する血液が直接チャンバ本体内の血液にぶつかるのを緩和し、同時に、血液がチャンバ本体の内壁をつたって流れ、血液がチャンバ本体内部で凝血及び泡沫を発生しない構成とした斜口式導引管を前記チャンバ本体内に吊設した状態で配設する。
【考案の効果】
【０００８】
本考案の進歩性と実用性をよりはっきりと示すため、以下、従来品と比較して分析する。
《従来品の欠点》
一、側面に突出した状態の導管体が収納において不便である。
二、まっすぐな柱状の導引管が凝血及び泡沫を発生しやすい。
三、蓋体側面の導管体が管の折れ曲がりを発生しやすい。
四、不便で実用性に欠ける。
【０００９】
《本考案の利点》
一、内部の斜口式導引管が血液の衝撃性を緩和する。
二、斜口式導引管が凝血及び泡沫の発生を防ぐ。
三、上蓋体上部の柱状接続管に導管を連結するため、収納に便利である。
四、導管が収納時に折れにくい。
五、進歩性と実用性を兼ね備えている。
六、産業的競争力を向上できる。
【考案を実施するための最良の形態】
【００１０】
以下、本考案について、図面と具体的な実施例に基づき詳細に説明する。本考案の血液透析回路管チャンバ用チャンバ上蓋は、図３及び図４に示すように、上蓋体Ｈ、柱状接続管Ｉ、斜口式導引管Ｊ、チャンバ本体Ｋ（以下単にチャンバ本体を言う）から構成される。
【００１１】
そのうち、上蓋体Ｈの上部に導管Ｌを連結する柱状接続管Ｉを設け、且つ、この柱状接続管Ｉ内に斜口式導引管Ｊを連結し、さらに上蓋体Ｈ下方にチャンバ本体Ｋを連結し、血液が導管Ｌを通り柱状接続管Ｉを通過して斜口式導引管Ｊ及びチャンバ本体Ｋ内部に到達した後、血液が斜口式導引管を介してチャンバ本体の内壁に向かって射出されるとき、凝血及び泡沫の発生を起こさないことを特徴とする。
【００１２】
内部の斜口式導引管Ｊは複数の孔を備え、チャンバ本体Ｋの内部に吊設され、血液が上蓋体Ｈ上部の柱状接続管Ｉを通り、斜口式導引管Ｊへと流れ、チャンバ本体Ｋの内部に到達した後、この血液がチャンバ本体Ｋの内壁に沿って渦巻き式に流入し、チャンバ本体Ｋ内の血液上部液面に直接上蓋から流入する血液がぶつかることによる泡沫の発生を防ぎ、また、液面が長時間流動せず空気に接触し凝血してしまう状況を改善し、液面の循環作用が得られる。
【００１３】
上蓋体Ｈ上部の柱状接続管Ｉに連結する導管Ｌ及びチャンバ本体Ｋ底面の柱状接続管Ｉに連結する導管Ｌは、その接合時に全体の上下端に設置されるため、その全体構造は使用時または収納時のどちらにおいても管が折れたり抜けたりする状況が起こりにくい。
【００１４】
本考案の実施方法を図５に示す。使用方法は、上蓋体Ｈをチャンバ本体Ｋの上部に連結し、この上蓋体Ｈの上部には導管Ｌを連結する柱状接続管Ｉを設置し、且つ、この柱状接続管Ｉ内に斜口式導引管Ｊを延伸して連結し、チャンバ本体Ｋ底面にさらに導管Ｌを連結する柱状接続管Ｉを設置する。
【００１５】
この柱状接続管Ｉにはそれぞれ動脈及び静脈の導管Ｌが設置され、使用時には血液が人体の動脈から動脈に接続した導管Ｌを経て、動脈に連結されたチャンバセットＡの上蓋体Ｈの柱状接続管Ｉを通り、さらにチャンバ本体Ｋに流入し、動脈のチャンバセットＡ底面の導管Ｌを経て連結して設置された人工腎臓へと流入し、人工腎臓で透析を行った後、静脈の導管Ｌに流入し、静脈に連結されたチャンバセットＡ上蓋体Ｈの柱状接続管Ｉを通り、さらにチャンバ本体Ｋに流入し、静脈チャンバＡ底面の導管Ｌを経て人体の静脈へと流入する。
【００１６】
上蓋体Ｈの柱状接続管Ｉ内に延伸して連結された斜口式導引管Ｊは、血液が上蓋体Ｈ上部の柱状接続管Ｉを通り、斜口式導引管Ｊを通ってチャンバ本体Ｋの内部に到達した後、チャンバ本体Ｋ内の血液上部液面に直接上蓋から流入する血液がぶつかることによる泡沫の発生を防ぎ、且つ、液面が長時間流動せず空気に接触し凝血してしまう状況を改善し、液面の循環作用を得る。
【００１７】
また、斜口式導引管Ｊは血液が直接チャンバ本体Ｋ内の血液にぶつかるのを緩和し、血液が斜口式導引管Ｊを経てチャンバ本体Ｋ内に流れるとき、凝血及び泡沫の発生を防ぐ。
【００１８】
以上で述べた説明は、本考案の最良の実施例に基づくものであり、本考案の権利範囲を制限するものではなく、本考案の明細書及び図面の内容を運用して同等の効果を得る構造を、直接的または間接的にその他関連技術領域に応用したものはすべて、本考案の要旨の範囲内に含まれるものとみなす。
【００１９】
上述のように、本考案は従来技術を打破する構造において、確実にその増進を図る効果を得ることができ、且つ、当該技術に熟練した者でなくとも容易に理解することができ、さらに、本考案はその出願以前に公開されたことがなく、その進歩性と実用性は実用新案登録の出願要件を満たしているため、法に基づきここに実用新案録出願をするものである。
【図面の簡単な説明】
【００２０】
【図１】従来のチャンバセットの立体外観図である。
【図２】従来の別のチャンバセットの立体外観図である。
【図３】本考案の立体外観図である。
【図４】本考案の上蓋体内部の構造を示す立体図である。
【図５】本考案の使用時の状態を示す立体外観図である。
【符号の説明】
【００２１】
Ａ        チャンバセット
Ｂ        柱状接続管
Ｃ        導引管
Ｄ        チャンバ本体
Ｅ        上蓋体
Ｆ        柱状接続管
Ｇ        チャンバ本体
Ｈ        上蓋体
Ｉ        柱状接続管
Ｊ        斜口式導引管
Ｋ        チャンバ本体
Ｌ        導管
【図１】
0003113888.tif 000003
【図２】
0003113888.tif 000004
【図３】
0003113888.tif 000005
【図４】
0003113888.tif 000006
【図５】
0003113888.tif 000007